(57)【要約】【課題】  ヘッドフォンジャックに対してヘッドフォンプラグを抜き差しせずに、スピーカからの発音をオン／オフすることができる電子楽器を提供することを課題とする。【解決手段】  楽音信号を生成するための音源（９０４）と、楽音信号を基に楽音を発音するためのスピーカ（９０８）と、楽音信号をヘッドフォンに出力するためのヘッドフォンジャック（９０９）と、未使用のヘッドフォンを収納するための収納部（９０７）と、収納部にヘッドフォンが収納されているか否かを検出する検出部（９０７）と、収納部にヘッドフォンが収納されているときには、スピーカから楽音を発音させる制御部（９１４）とを有する電子楽器が提供される。【選択図】        図９
2006208846.tif 000002
【特許請求の範囲】
【請求項１】
楽音信号を生成するための音源と、
前記楽音信号を基に楽音を発音するためのスピーカと、
前記楽音信号をヘッドフォンに出力するためのヘッドフォンジャックと、
未使用のヘッドフォンを収納するための収納部と、
前記収納部にヘッドフォンが収納されているか否かを検出する検出部と、
前記収納部にヘッドフォンが収納されているときには、前記スピーカから楽音を発音させる制御部と
を有する電子楽器。
【請求項２】
前記制御部は、前記収納部にヘッドフォンが収納されているときには、前記ヘッドフォンジャックに楽音信号を供給しない請求項１記載の電子楽器。
【請求項３】
前記制御部は、前記ヘッドフォンジャックにヘッドフォンプラグが差し込まれ、かつ前記収納部にヘッドフォンが収納されているときには、前記スピーカから楽音を発音させ、前記ヘッドフォンジャックに前記楽音信号を供給しない請求項２記載の電子楽器。
【請求項４】
前記制御部は、前記ヘッドフォンジャックにヘッドフォンプラグが差し込まれ、かつ前記収納部にヘッドフォンが収納されていないときには、前記スピーカから楽音を発音させずに、前記ヘッドフォンジャックに前記楽音信号を供給する請求項３記載の電子楽器。
【請求項５】
楽音信号を生成するための音源と、
前記楽音信号を基に楽音を発音するためのスピーカと、
前記楽音信号を基に楽音を発音するためのヘッドフォンと、
前記ヘッドフォンを使用中か否かを検出する検出部と、
前記ヘッドフォンを使用中でないときには、前記スピーカから楽音を発音させる制御部と
を有する電子楽器。
【請求項６】
前記検出部は、前記ヘッドフォンに設けられ、前記ヘッドフォンが聴取者に装着されているか否かを検出し、
前記制御部は、前記ヘッドフォンが装着されていないときには、前記スピーカから楽音を発音させる請求項５記載の電子楽器。
【請求項７】
前記制御部は、前記ヘッドフォンが装着されていないときには、前記ヘッドフォンから楽音を発生させない請求項６記載の電子楽器。
【請求項８】
さらに、前記楽音信号をヘッドフォンに出力するためのヘッドフォンジャックを有し、
前記ヘッドフォンは、前記ヘッドフォンジャックに対して抜き差し可能なヘッドフォンプラグを有し、
前記制御部は、前記ヘッドフォンジャックに前記ヘッドフォンプラグが差し込まれ、かつ前記ヘッドフォンが装着されていないときには、前記スピーカから楽音を発音させ、前記ヘッドフォンから楽音を発音させない請求項７記載の電子楽器。
【請求項９】
前記制御部は、前記ヘッドフォンジャックに前記ヘッドフォンプラグが差し込まれ、かつ前記ヘッドフォンが装着されているときには、前記スピーカから楽音を発音させずに、前記ヘッドフォンから楽音を発音させる請求項８記載の電子楽器。
【請求項１０】
楽音信号を生成するための音源と、
前記楽音信号を基に楽音を発音するためのスピーカと、
前記楽音信号をヘッドフォンに出力するためのヘッドフォンジャックと、
第１及び第２の状態を操作可能な操作子と、
前記操作子が第１の状態のときには、前記スピーカから楽音を発音させる制御部と
を有する電子楽器。
【請求項１１】
前記制御部は、前記操作子が第１の状態のときには、前記ヘッドフォンジャックに楽音信号を供給しない請求項１０記載の電子楽器。
【請求項１２】
前記制御部は、前記ヘッドフォンジャックにヘッドフォンプラグが差し込まれ、かつ前記操作子が第１の状態のときには、前記スピーカから楽音を発音させ、前記ヘッドフォンジャックに前記楽音信号を供給しない請求項１１記載の電子楽器。
【請求項１３】
前記制御部は、前記ヘッドフォンジャックにヘッドフォンプラグが差し込まれ、かつ前記操作子が第２の状態のときには、前記スピーカから楽音を発音させずに、前記ヘッドフォンジャックに前記楽音信号を供給する請求項１２記載の電子楽器。
【発明の詳細な説明】
【技術分野】
【０００１】
本発明は、電子楽器に関する。
【背景技術】
【０００２】
電子楽器は、演奏をするとスピーカから楽音を発音させることができる。電子楽器のヘッドフォンジャックに、ヘッドフォンのヘッドフォンプラグを差し込むと、ヘッドフォンから楽音が発音され、スピーカからは発音されない。
【０００３】
また、下記の特許文献１には、鍵盤蓋の開閉に連動して電源をオン／オフする電源スイッチを備えた電子鍵盤楽器が記載されている。
【０００４】
【特許文献１】特開平９−１０１７８３号公報
【発明の開示】
【発明が解決しようとする課題】
【０００５】
多くの電子楽器は、ヘッドフォンプラグを抜き差しし難い場所にヘッドフォンジャックが設けられている。そのため、ヘッドフォンプラグを抜き差しすることは手間に感じるユーザが多い。ユーザによっては、ヘッドフォンジャックにヘッドフォンプラグを差し込んだままにしておくことがある。その場合、ヘッドフォンを聴取者の頭に装着していなくても、ヘッドフォンプラグをヘッドフォンジャックに差し込んでいるため、スピーカからは音が出ない。この場合、ヘッドフォンは使用していないのだから、スピーカから音を出すことができれば便利である。
【０００６】
本発明の目的は、ヘッドフォンジャックに対してヘッドフォンプラグを抜き差しせずに、スピーカからの発音をオン／オフすることができる電子楽器を提供することである。
【課題を解決するための手段】
【０００７】
本発明の一観点によれば、楽音信号を生成するための音源と、前記楽音信号を基に楽音を発音するためのスピーカと、前記楽音信号をヘッドフォンに出力するためのヘッドフォンジャックと、未使用のヘッドフォンを収納するための収納部と、前記収納部にヘッドフォンが収納されているか否かを検出する検出部と、前記収納部にヘッドフォンが収納されているときには、前記スピーカから楽音を発音させる制御部とを有する電子楽器が提供される。
【０００８】
本発明の他の観点によれば、楽音信号を生成するための音源と、前記楽音信号を基に楽音を発音するためのスピーカと、前記楽音信号を基に楽音を発音するためのヘッドフォンと、前記ヘッドフォンを使用中か否かを検出する検出部と、前記ヘッドフォンを使用中でないときには、前記スピーカから楽音を発音させる制御部とを有する電子楽器が提供される。
【０００９】
本発明のさらに他の観点によれば、楽音信号を生成するための音源と、前記楽音信号を基に楽音を発音するためのスピーカと、前記楽音信号をヘッドフォンに出力するためのヘッドフォンジャックと、第１及び第２の状態を操作可能な操作子と、前記操作子が第１の状態のときには、前記スピーカから楽音を発音させる制御部とを有する電子楽器が提供される。
【発明の効果】
【００１０】
ヘッドフォンジャックに対してヘッドフォンプラグを抜き差しせずに、スピーカからの発音をオン／オフすることができるので便利であり、ヘッドフォンジャックに対してヘッドフォンプラグを抜き差しする手間を省くことができる。
【発明を実施するための最良の形態】
【００１１】
（第１の実施形態）
図１は本発明の第１の実施形態による電子楽器の外観例を示す図であり、図２は本実施形態によるヘッドフォンの外観例を示す図である。電子楽器１０１は、収納フック１０２、操作子１０３、ヘッドフォンジャック１０４、スピーカ１０５及び鍵盤１０６を有する。ヘッドフォン２０１は、ヘッドフォンジャック１０４に対して抜き差し可能なヘッドフォンプラグ２０２を有する。収納フック１０２は、未使用のヘッドフォン２０１を収納するための収納部である。鍵盤１０６は、白鍵及び黒鍵を有し、演奏者が演奏操作可能な演奏操作子である。演奏者が鍵盤１０６を用いて演奏操作を行うと、音源が楽音信号を生成する。スピーカ１０５は、その楽音信号を基に楽音を発音する。ヘッドフォンジャック１０４にヘッドフォンプラグ２０２を差し込むと、ヘッドフォン２０１から発音可能になる。ヘッドフォンジャック１０４は、上記の楽音信号をヘッドフォン２０１に出力することができる。ヘッドフォン２０１は、その楽音信号を基に楽音を発音することができる。
【００１２】
収納フック１０２は、収納フック１０２にヘッドフォン２０１が収納されているか否かを検出する検出部を有する。収納フック１０２にヘッドフォン２０１が収納されているときには、ヘッドフォン２０１が未使用であることを意味するので、スピーカ１０５から楽音を発音させる。その際、ヘッドフォンジャック１０４に楽音信号を供給してもしなくてもよいが、供給しないことが好ましい。
【００１３】
具体的には、ヘッドフォンジャック１０４にヘッドフォンプラグ２０２が差し込まれ、かつ収納フック１０２にヘッドフォン２０１が収納されているときには、ヘッドフォン２０１が未使用であることを意味するので、スピーカ１０５から楽音を発音させ、ヘッドフォンジャック１０４に楽音信号を供給しない。
【００１４】
また、ヘッドフォンジャック１０４にヘッドフォンプラグ２０２が差し込まれ、かつ収納フック１０２にヘッドフォン２０１が収納されていないときには、ヘッドフォン２０１が使用中であることを意味するので、スピーカ１０５から楽音を発音させずに、ヘッドフォンジャック１０４に楽音信号を供給し、ヘッドフォン２０１から発音させる。
【００１５】
また、ヘッドフォンジャック１０４にヘッドフォンプラグ２０２が差し込まれていないときには、ヘッドフォン２０１が未使用であることを意味するので、スピーカ１０５から楽音を発音させ、ヘッドフォンジャック１０４に楽音信号を供給しない。
【００１６】
図３及び図４は、ヘッドフォンの重量を検出することによりヘッドフォンが収納されているか否かを検出する収納フック１０２の構成例を示す。図５（Ａ）、（Ｂ）及び図６は、ヘッドフォンまでの距離を検出することによりヘッドフォンが収納されているか否かを検出する収納フック１０２の構成例を示す。図７（Ａ）及び（Ｂ）は、収納フック１０２の状態を検出することによりヘッドフォンが収納されているか否かを検出する収納フック１０２の構成例を示す。
【００１７】
まず、図３の収納フック３０１を説明する。収納フック３０１は、スイッチ３０２を有する。収納フック３０１にヘッドフォン２０１を収納すると、スイッチ３０２がヘッドフォン２０１の重量によりオンになり、ヘッドフォン２０１が収納フック３０１に収納されていることを検出することができる。収納フック３０１にヘッドフォン２０１を収納していないときには、スイッチ３０２はオフになり、ヘッドフォン２０１が収納フック３０１に収納されていないことを検出することができる。スイッチ３０２は、感圧センサを用いてもよい。
【００１８】
次に、図４の収納フック４０１を説明する。収納フック４０１にヘッドフォン２０１を収納すると、収納フック４０１はヘッドフォン２０１の重量により下方向４０２に下がる。収納フック４０１が下に下がったことを検出することにより、ヘッドフォン２０１が収納フック４０１に収納されていることを検出することができる。収納フック４０１にヘッドフォン２０１を収納していないときには、収納フック４０１は下に下がらないので、それを検出することにより、ヘッドフォン２０１が収納フック３０１に収納されていないことを検出することができる。
【００１９】
次に、図５（Ａ）及び（Ｂ）の収納フック５０１を説明する。図５（Ａ）は収納フック５０１にヘッドフォン２０１が収納されていない状態を示し、図５（Ｂ）は収納フック５０１にヘッドフォン２０１が収納されている状態を示す。収納フック５０１及び赤外線センサ５０２は、電子楽器の棚板に設けることにより、演奏者の足の邪魔にならない位置に設けることができる。赤外線センサ５０２は、赤外線を照射し、その反射光を検出する。その照射から検出までに要した時間は、障害物までの距離に相当する。図５（Ａ）では、センサ５０２から収納フック５０１までの距離Ｌ１を検出することができ、この場合は収納フック５０１にヘッドフォン２０１が収納されていないことを検出することができる。図５（Ｂ）では、センサ５０２からヘッドフォン２０１までの距離Ｌ２を検出することができ、この場合は収納フック５０１にヘッドフォン２０１が収納されていることを検出することができる。すなわち、検出距離が距離Ｌ１又はＬ２のいずれであるかを検出することにより、ヘッドフォン２０１が収納されているか否かを検出することができる。
【００２０】
次に、図６の収納フック６０１を説明する。図５（Ａ）及び（Ｂ）では、収納フック５０１及び赤外線センサ５０２を水平面の板に取り付け、赤外線センサ５０２は垂直方向の距離Ｌ１又はＬ２を検出するようにした。図６では、収納フック６０１及び赤外線センサ６０２を垂直面の板に取り付け、赤外線センサ６０２は水平方向の距離Ｌ３を検出するようにする。検出方法は、図５（Ａ）及び（Ｂ）の場合と同様である。
【００２１】
次に、図７（Ａ）及び（Ｂ）の収納フック７０１を説明する。図７（Ａ）は収納フック７０１をしまった状態を示し、図５（Ｂ）は収納フック７０１を出した状態を示す。図７（Ａ）の状態では、収納フック７０１にヘッドフォン２０１を収納することができないので、ヘッドフォン２０１が収納されていないことを検出することができる。図７（Ｂ）の状態では、収納フック７０１にヘッドフォン２０１を収納することができるので、ヘッドフォン２０１が収納されているものとして検出することができる。
【００２２】
（第２の実施形態）
本発明の第２の実施形態は、図１の収納フック１０２の代わりに、操作子１０３を基にスピーカ１０５からの発音をオン／オフする。以下、本実施形態が第１の実施形態と異なる点を説明する。操作子１０３は、オン（第１の状態）又はオフ（第２の状態）を手動で操作可能なスイッチである。操作者が操作子１０３をオンにしたときには、第１の実施形態のヘッドフォン２０１が収納されているときと同じ処理を行う。操作者が操作子１０３をオフにしたときには、第１の実施形態のヘッドフォン２０１が収納されていないときと同じ処理を行う。
【００２３】
すなわち、操作子１０３がオンのときには、スピーカ１０５から楽音を発音させる。その際、ヘッドフォンジャック１０４に楽音信号を供給してもしなくてもよいが、供給しないことが好ましい。
【００２４】
具体的には、ヘッドフォンジャック１０４にヘッドフォンプラグ２０２が差し込まれ、かつ操作子１０３がオンのときには、スピーカ１０５から楽音を発音させ、ヘッドフォンジャック１０４に楽音信号を供給しない。
【００２５】
また、ヘッドフォンジャック１０４にヘッドフォンプラグ２０２が差し込まれ、かつ操作子１０３がオフのときには、スピーカ１０５から楽音を発音させずに、ヘッドフォンジャック１０４に楽音信号を供給する。
【００２６】
また、ヘッドフォンジャック１０４にヘッドフォンプラグ２０２が差し込まれていないときには、スピーカ１０５から楽音を発音させ、ヘッドフォンジャック１０４に楽音信号を供給しない。
【００２７】
なお、図７（Ａ）及び（Ｂ）の収納フック７０１は、図１の操作子１０３と同じく、操作者が操作可能な操作子であると考えることができる。したがって、図７（Ａ）及び（Ｂ）の収納フック７０１を本実施形態の操作子１０３として使用してもよい。
【００２８】
（第３の実施形態）
図８は、本発明の第３の実施形態によるヘッドフォンの構成例を示す図である。本実施形態が第１の実施形態と異なる点を説明する。ヘッドフォンは、２個のイヤーパッド８０２及びそれらを支持するための支持部８０１を有する。ヘッドフォンが聴取者に装着されると、２個のイヤーパッド８０２の間隔Ｌ４が広くなる。これを検出することにより、ヘッドフォンが装着されかつ使用中であることを検出することができる。逆に、ヘッドフォンが聴取者に装着されなければ、２個のイヤーパッド８０２の間隔Ｌ４が狭くなる。これを検出することにより、ヘッドフォンが装着されておらずかつ未使用であることを検出することができる。
【００２９】
歪みゲージ８０３は、支持部８０１に貼り付けられる。ヘッドフォンが聴取者に装着されると、間隔Ｌ４が広くなり、歪みゲージ８０３の歪みが小さくなる。逆に、ヘッドフォンが聴取者に装着されていないと、間隔Ｌ４が狭くなり、歪みゲージ８０３の歪みが大きくなる。歪みゲージ８０３は、歪みの大きさにより、抵抗値が変化する。歪みゲージ８０３の抵抗値を検出することにより、ヘッドフォンが装着されているか否かを検出することができる。検出値は、スイッチのオン／オフ信号として、ヘッドフォンプラグ２０２を介して電子楽器に供給してもよいし、ヘッドフォンプラグ２０２を介さずに、別の有線又は無線で電子楽器に供給してもよい。
【００３０】
また、歪みゲージ８０３の代わりに、スイッチ８０４を設けても良い。スイッチ８０４は、イヤーパッド８０２に設けられる。ヘッドフォンが聴取者に装着されると、スイッチ８０４がオンになり、ヘッドフォンが装着されていることを検出することができる。逆に、ヘッドフォンが聴取者に装着されていないと、スイッチ８０４がオフになり、ヘッドフォンが装着されていないことを検出することができる。スイッチ８０４は、感圧センサを用いてもよい。
【００３１】
ヘッドフォンが装着されていることを検出したときには、第１の実施形態のヘッドフォンが収納されていないときと同じ処理を行う。ヘッドフォンが装着されていないことを検出したときには、第１の実施形態のヘッドフォンが収納されているときと同じ処理を行う。
【００３２】
以上のように、歪みゲージ８０３又はスイッチ８０４は、聴取者がヘッドフォンを使用中か否かを検出することができる。ヘッドフォンを使用中でないときには、スピーカ１０５から楽音を発音させる。
【００３３】
具体的には、歪みゲージ８０３又はスイッチ８０４は、ヘッドフォンに設けられ、ヘッドフォンが聴取者に装着されているか否かを検出することができる。ヘッドフォンが装着されていないときには、スピーカ１０５から楽音を発音させる。その際、ヘッドフォンジャック１０４に楽音信号を供給してもしなくてもよいが、供給せずにヘッドフォンから楽音を発生させないことが好ましい。
【００３４】
より具体的には、ヘッドフォンジャック１０４にヘッドフォンプラグ２０２が差し込まれ、かつヘッドフォンが装着されていないときには、スピーカ１０５から楽音を発音させ、ヘッドフォンから楽音を発音させない。
【００３５】
また、ヘッドフォンジャック１０４にヘッドフォンプラグ２０２が差し込まれ、かつヘッドフォンが装着されているときには、スピーカ１０５から楽音を発音させずに、ヘッドフォンから楽音を発音させる。
【００３６】
また、ヘッドフォンジャック１０４にヘッドフォンプラグ２０２が差し込まれていないときには、スピーカ１０５から楽音を発音させ、ヘッドフォンから楽音を発音させない。
【００３７】
（第４の実施形態）
図９は、本発明の第４の実施形態による電子楽器の構成例を示すブロック図である。本実施形態は、上記の第１〜第３の実施形態を実現するための電子楽器のハードウエア構成例を示す。
【００３８】
スピーカ／ヘッドフォン切替スイッチ９０７は、第１の実施形態の収納フック１０２、第２の実施形態の操作子１０３、又は第３の実施形態の歪みゲージ８０３若しくはスイッチ８０４に対応する。ヘッドフォンジャック９０９は、図１のヘッドフォンジャック１０４に対応する。スピーカ９０８は、図１のスピーカ１０５に対応する。鍵盤９０５は、図１の鍵盤１０６に対応する。
【００３９】
バス９０１には、パネル９０２、メモリ９０３、音源９０４及びＣＰＵ９０６が接続される。パネル９０２は、操作子及び表示装置を有する。メモリ９０３は、コンピュータプログラム及び各種データ等を記憶する。ＣＰＵ９０６は、メモリ９０３のコンピュータプログラムを実行することにより、第１〜３の実施形態の処理を行う。
【００４０】
鍵盤９０５は、白鍵及び黒鍵を有し、演奏者が演奏操作するための演奏操作子である。音源９０４は、鍵盤９０５の演奏操作等に応じて、楽音信号を生成し、ＤＡ変換器９１３に出力する。ＤＡ変換器９１３は、楽音信号をデジタル形式からアナログ形式に変換する。
【００４１】
まず、第１の実施形態について説明する。スピーカ／ヘッドフォン切替スイッチ９０７は、図１の収納フック１０２に対応する。ＣＰＵ９０６は、第１の実施形態で述べたように、ヘッドフォンが収納フック１０２に収納されているか否かを検出することができる。そして、ＣＰＵ９０６は、ヘッドフォンジャック９０９にヘッドフォンプラグが差し込まれていないときには、スピーカ信号をスピーカ／ヘッドフォン切替制御部９１４に出力する。そして、ＣＰＵ９０６は、ヘッドフォンジャック９０９にヘッドフォンプラグが差し込まれているとき、ヘッドフォンが収納されているときにはスピーカ信号を、ヘッドフォンが収納されていないときにはヘッドフォン信号をスピーカ／ヘッドフォン切替制御部９１４に出力する。
【００４２】
次に、第２の実施形態について説明する。スピーカ／ヘッドフォン切替スイッチ９０７は、図１の操作子１０３に対応する。ＣＰＵ９０６は、ヘッドフォンジャック９０９にヘッドフォンプラグが差し込まれていないときには、スピーカ信号をスピーカ／ヘッドフォン切替制御部９１４に出力する。そして、ＣＰＵ９０６は、ヘッドフォンジャック９０９にヘッドフォンプラグが差し込まれているとき、操作子１０３がオンのときにはスピーカ信号を、操作子１０３がオフのときにはヘッドフォン信号をスピーカ／ヘッドフォン切替制御部９１４に出力する。
【００４３】
次に、第３の実施形態について説明する。スピーカ／ヘッドフォン切替スイッチ９０７は、図８の歪みゲージ８０３又はスイッチ８０４に対応する。ＣＰＵ９０６は、第３の実施形態で述べたように、ヘッドフォンが装着されているか否かを検出することができる。そして、ＣＰＵ９０６は、ヘッドフォンジャック９０９にヘッドフォンプラグが差し込まれていないときには、スピーカ信号をスピーカ／ヘッドフォン切替制御部９１４に出力する。そして、ＣＰＵ９０６は、ヘッドフォンジャック９０９にヘッドフォンプラグが差し込まれているとき、ヘッドフォンが装着されているときにはヘッドフォン信号を、ヘッドフォンが装着されていないときにはスピーカ信号をスピーカ／ヘッドフォン切替制御部９１４に出力する。
【００４４】
以下、第１〜第３の実施形態の共通の処理を説明する。スピーカ／ヘッドフォン切替制御部９１４は、ＣＰＵ９０６からスピーカ信号を入力すると、スピーカ９０８から楽音を発音させ、ヘッドフォンから楽音を発音させないため、ＤＡ変換器９１３の出力信号をイコライザ９１５にのみ出力する。また、スピーカ／ヘッドフォン切替制御部９１４は、ＣＰＵ９０６からヘッドフォン信号を入力すると、ヘッドフォンから楽音を発音させ、スピーカ９０８から楽音を発音させないため、ＤＡ変換器９１３の出力信号をヘッドフォンアンプ９１１及びラインアウト端子９１０にのみ出力する。
【００４５】
イコライザ９１５は、楽音信号の周波数特性を制御し、アンプ９１２に出力する。アンプ９１２は、楽音信号を増幅し、スピーカ９０８に出力する。スピーカ９０８は、楽音信号を基に楽音を発音する。
【００４６】
ヘッドフォンアンプ９１１は、入力楽音信号を増幅し、ヘッドフォンジャック９０９に出力する。ヘッドフォンジャック９０９にヘッドフォンプラグを差し込めば、ヘッドフォンはその楽音信号を基に楽音を発音することができる。
【００４７】
以上のように、スピーカ／ヘッドフォン切替制御部９１４は、ＣＰＵ９０６から入力する信号がスピーカ信号かヘッドフォン信号かによって、ＤＡ変換器９１３の出力をスピーカ９０９又はヘッドフォンのいずれに供給するように切り替える。
【００４８】
（第５の実施形態）
図１０は、本発明の第５の実施形態による電子楽器の構成例を示すブロック図である。本実施形態は、上記の第１〜第３の実施形態を実現するための電子楽器のハードウエア構成例を示す。以下、本実施形態が第４の実施形態と異なる点を説明する。図１０は、図９に対して、ＤＡ変換器９１３、スピーカ／ヘッドフォン切替制御部９１４及びイコライザ９１５を削除し、ＤＳＰ（デジタルシグナルプロセッサ）１００１及びＤＡ変換器１００２，１００３を追加している。
【００４９】
ＣＰＵ９０６は、第４の実施形態と同様に、スピーカ／ヘッドフォン切替スイッチ９０７から入力した信号Ｓ１を基に、スピーカ／ヘッドフォン信号Ｓ２をＤＳＰ１００１に出力することができる。
【００５０】
ＤＳＰ１００１は、信号Ｓ２がスピーカ信号であるときには、音源９０４の出力楽音信号をＤＡ変換器１００２にのみ出力する。ＤＡ変換器１００２は、その楽音信号をデジタル形式からアナログ形式に変換し、アンプ９１２に出力する。スピーカ９０８は、アンプ９１２の出力楽音信号を基に楽音を発音する。
【００５１】
また、ＤＳＰ１００１は、信号Ｓ２がヘッドフォン信号であるときには、音源９０４の出力楽音信号をＤＡ変換器１００３にのみ出力する。ＤＡ変換器１００３は、その楽音信号をデジタル形式からアナログ形式に変換し、ヘッドフォンアンプ９１１及びラインアウト端子９１０に出力する。ヘッドフォンジャック９０９は、ヘッドフォンアンプ９１１の出力楽音信号をヘッドフォンに供給する。ヘッドフォンは、その楽音信号を基に楽音を発音する。
【００５２】
図１１は、ＤＳＰ１００１の構成例を示すブロック図である。音源９０４からの信号は、エフェクト部１１０１でエフェクトが付与され、リバーブ部１１０２でリバーブが付与され、イコライザ１１０３及び１１０４に供給される。スピーカ用イコライザ１１０３は、スピーカ出力のために楽音信号の周波数特性を制御する。ヘッドフォン用イコライザ１１０４は、ヘッドフォン出力のために楽音信号の周波数特性を制御する。
【００５３】
信号Ｓ２がスピーカ信号のときには、ゲート１１０５は楽音信号を通過させてＤＡ変換器１００２に出力し、ゲート１１０６は楽音信号を通過させない。これにより、スピーカのみからの発音を実現することができる。
【００５４】
また、信号Ｓ２がヘッドフォン信号のときには、ゲート１１０６は楽音信号を通過させてＤＡ変換器１００３に出力し、ゲート１１０５は楽音信号を通過させない。これにより、ヘッドフォンのみからの発音を実現することができる。
【００５５】
なお、図１０において、信号Ｓ１及びＳ２の代わりに、信号Ｓ３を用いてもよい。ＤＳＰ１００１は、スピーカ／ヘッドフォン切替スイッチ９０７から入力する信号Ｓ３を基にスピーカ信号又はヘッドフォン信号を生成し、ゲート１１０５及び１１０６を制御することができる。
【００５６】
以上のように、第１〜第５の実施形態によれば、ヘッドフォンジャックに対してヘッドフォンプラグを抜き差しせずに、スピーカからの発音をオン／オフすることができるので便利であり、ヘッドフォンジャックに対してヘッドフォンプラグを抜き差しする手間を省くことができる。
【００５７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００５８】
【図１】本発明の第１の実施形態による電子楽器の外観例を示す図である。
【図２】第１の実施形態によるヘッドフォンの外観例を示す図である。
【図３】ヘッドフォンの重量を検出することによりヘッドフォンが収納されているか否かを検出する収納フックの構成例を示す図である。
【図４】ヘッドフォンの重量を検出することによりヘッドフォンが収納されているか否かを検出する収納フックの他の構成例を示す図である。
【図５】図５（Ａ）及び（Ｂ）はヘッドフォンまでの距離を検出することによりヘッドフォンが収納されているか否かを検出する収納フックの構成例を示す図である。
【図６】ヘッドフォンまでの距離を検出することによりヘッドフォンが収納されているか否かを検出する収納フックの他の構成例を示す図である。
【図７】図７（Ａ）及び（Ｂ）は収納フックの状態を検出することによりヘッドフォンが収納されているか否かを検出する収納フックの構成例を示す図である。
【図８】本発明の第３の実施形態によるヘッドフォンの構成例を示す図である。
【図９】本発明の第４の実施形態による電子楽器の構成例を示すブロック図である。
【図１０】本発明の第５の実施形態による電子楽器の構成例を示すブロック図である。
【図１１】ＤＳＰの構成例を示すブロック図である。
【符号の説明】
【００５９】
１０１  電子楽器
１０２  収納フック
１０３  操作子
１０４  ヘッドフォンジャック
１０５  スピーカ
１０６  鍵盤
９０１  バス
９０２  パネル
９０３  メモリ
９０４  音源
９０５  鍵盤
９０６  ＣＰＵ
９０７  スピーカ／ヘッドフォン切替スイッチ
９０８  スピーカ
９０９  ヘッドフォンジャック
９１０  ラインアウト端子
９１１  ヘッドフォンアンプ
９１２  アンプ
９１３  ＤＡ変換器
９１４  スピーカ／ヘッドフォン切替制御部
９１５  イコライザ
【図１】
2006208846.tif 000003
【図２】
2006208846.tif 000004
【図３】
2006208846.tif 000005
【図４】
2006208846.tif 000006
【図５】
2006208846.tif 000007
【図６】
2006208846.tif 000008
【図７】
2006208846.tif 000009
【図８】
2006208846.tif 000010
【図９】
2006208846.tif 000011
【図１０】
2006208846.tif 000012
【図１１】
2006208846.tif 000013